(57)【要約】【課題】安価な方法で複製を防止することが可能な２次元コード付きラベルを提供する。【解決手段】本発明の２次元コード付きラベルＬ１は、ラベル１１の一部に２次元コード１が設けられており、貼付後にラベル１１を剥がすと切り取り線１７が破断して２次元コード１が破壊されるように構成されている。【選択図】図１
2013003535.tif 000002
【特許請求の範囲】
【請求項１】
ラベルの一部に２次元コードが設けられており、貼付後にラベルを剥がすと２次元コードが破壊されるように構成されていることを特徴とする２次元コード付きラベル。
【請求項２】
２次元コードが破壊される構成として、ラベルに形成された切り取り線の上に２次元コードが印字されていることを特徴とする請求項１に記載の２次元コード付きラベル。
【請求項３】
切り取り線が２次元コードのシンボルのうち固定パターンとデータセルとを分断する位置に形成されていることを特徴とする請求項２に記載の２次元コード付きラベル。
【請求項４】
２次元コードが破壊される構成として、ラベルが、下層ラベルの上に光透過性の上層ラベルを擬似接着してなる積層型ラベルであって、下層ラベルに形成された２次元コードの一部と、上層ラベルに形成された２次元コードの残部とを重ね合わせることにより２次元コードが構成されていることを特徴とする請求項１に記載の２次元コード付きラベル。
【請求項５】
下層ラベルに形成された２次元コードの一部が固定パターンであり、上層ラベルに形成された２次元コードの残部がデータセルであるか、又は、下層ラベルに形成された２次元コードの一部がデータセルであり、上層ラベルに形成された２次元コードの残部が固定パターンであることを特徴とする請求項４に記載の２次元コード付きラベル。
【請求項６】
下層ラベルに形成された２次元コードの一部がクワイエットゾーンの外周枠であり、上層ラベルに形成された２次元コードの残部がシンボルであるか、又は、下層ラベルに形成された２次元コードの一部がシンボルであり、上層ラベルに形成された２次元コードの残部がクワイエットゾーンの外周枠であることを特徴とする請求項４に記載の２次元コード付きラベル。
【請求項７】
下層ラベルに形成された２次元コードの一部と上層ラベルに形成された２次元コードの残部とが赤外吸収材で構成され、上層ラベルと下層ラベルの少なくともいずれか一方に２次元コードを覆う隠蔽層が赤外非吸収材で形成されていることを特徴とする請求項４〜６のいずれか１項に記載の２次元コード付きラベル。
【請求項８】
下層ラベルが光反射性の素材からなることを特徴とする請求項４〜７のいずれか１項に記載の２次元コード付きラベル。
【発明の詳細な説明】
【技術分野】
【０００１】
本発明は、安価な方法で複製を防ぐことができる２次元コード付きラベルに関する。
【背景技術】
【０００２】
従来、パチンコ店では、遊技客が獲得したパチンコ玉やメダルを特殊景品に交換し、この特殊景品を景品交換所に持っていくと、特殊景品と引き換えに景品相当の現金が支払われるシステムになっている。この特殊景品は、現金と交換される金銭的価値を有するものであることから、特に偽造の対象になりやすい。そこで、一般にパチンコ店では、景品本体にＲＦＩＤラベルを貼り付けて管理し、ＲＦＩＤラベルのＩＣチップに記録された情報をリーダライタで読み取ることによって景品が本物か否かの真偽判別を行っている（例えば、下記の特許文献１を参照）。
【先行技術文献】
【特許文献】
【０００３】
【特許文献１】特開２０００−１２６４３９号公報
【発明の概要】
【発明が解決しようとする課題】
【０００４】
上記のように、従来は景品を管理するために、ＲＦＩＤラベルとリーダライタを備えたＲＦＩＤシステムを利用している。ところが、ＲＦＩＤラベルにはＩＣチップ等の電子部品が内蔵されているため１枚１枚が高価であり、また、パチンコ店と景品交換所のすべてにリーダライタ等の設備が必要になる。このため、システムの運営にあたり多大なコストが掛かるという問題があった。
【０００５】
そこで、本発明はこのような問題を解決するためになされたものであり、その目的とするところは、ＲＦＩＤラベルに代わる媒体として安価に利用することができ、しかも複製による偽造を防止することができる２次元コード付きラベルを提供することにある。
【課題を解決するための手段】
【０００６】
上記の目的を達成するため、本発明に係る２次元コード付きラベルは、ラベルの一部に２次元コードが設けられており、貼付後にラベルを剥がすと２次元コードが破壊されるように構成されていることを特徴とする。
【０００７】
ここで、ラベルを剥がすと２次元コードが破壊される構成としては、ラベルに形成された切り取り線の上に２次元コードが印字されている構成を採用することができる。この場合、剥がした時に２次元コードが確実に機能しなくなるようにするために、切り取り線は２次元コードのシンボルのうち固定パターンとデータセルとを分断する位置に形成されていることが好ましい。
【０００８】
また、ラベルを剥がすと２次元コードが破壊される他の構成として、ラベルが、下層ラベルの上に光透過性の上層ラベルを擬似接着してなる積層型ラベルであって、下層ラベルに形成された２次元コードの一部と、上層ラベルに形成された２次元コードの残部とを重ね合わせることにより２次元コードが構成されるようにしても良い。
【０００９】
具体的には、下層ラベルに形成された２次元コードの一部が固定パターンであり、上層ラベルに形成された２次元コードの残部がデータセルであるか、又は、下層ラベルに形成された２次元コードの一部がデータセルであり、上層ラベルに形成された２次元コードの残部が固定パターンである構成が考えられる。また、これに代えて、下層ラベルに形成された２次元コードの一部がクワイエットゾーンの外周枠であり、上層ラベルに形成された２次元コードの残部がシンボルであるか、又は、下層ラベルに形成された２次元コードの一部がシンボルであり、上層ラベルに形成された２次元コードの残部がクワイエットゾーンの外周枠である構成が考えられる。
【００１０】
また、積層型ラベルの場合、下層ラベルに形成された２次元コードの一部と上層ラベルに形成された２次元コードの残部とが赤外吸収材で構成され、上層ラベルと下層ラベルの少なくともいずれか一方に２次元コードを覆う隠蔽層が赤外非吸収材で形成されていても良い。この場合、下層ラベルが光反射性の素材からなることが好ましい。
【発明の効果】
【００１１】
本発明に係る２次元コード付きラベルによれば、ラベルに設けられた２次元コードに各種データを記録することができるため、従来のＲＦＩＤラベルと同等の利用が可能になり、かつ、ＲＦＩＤラベルに比べてより安価な媒体を提供することができる。また、一度貼り付けたラベルを剥がそうとすると、２次元コードが破壊されるようになっている。このため、通常の２次元コードとは異なる複製防止機能があるので、偽造によるトラブルも防ぐことができる。また、ラベルに剥がした痕跡が残るので、不正に開封されたことが分かり、開封検知機能を備えた封印シールとして利用することもできる。
【図面の簡単な説明】
【００１２】
【図１】本発明に係る２次元コード付きラベルの第１実施形態を示す平面図。
【図２】図１のラベルにおけるＡ−Ａ断面図。
【図３】図１のラベルにおける切り取り線の変形例を示す平面図。
【図４】図１のラベルにおける切り取り線の他の変形例を示す平面図。
【図５】本発明に係る２次元コード付きラベルの第２実施形態を示す平面図。
【図６】図５のラベルにおけるＢ−Ｂ断面図。
【図７】図６のラベルに隠蔽層を設けた変形例を示す断面図。
【図８】本発明に係る２次元コード付きラベルの第３実施形態を示す平面図。
【図９】図８のラベルにおけるＣ−Ｃ断面図。
【発明を実施するための形態】
【００１３】
以下、本発明を実施するための形態について、願書に添付した図面を参照しながら詳細に説明する。本発明に係る２次元コード付きラベルは、図面に示すように、ラベルの一部に２次元コードが設けられており、貼付後にラベルを剥がすと２次元コードが破壊されるように構成されていることを特徴とするものである。
【００１４】
〔第１実施形態〕
図１〜４に本発明の第１実施形態を示す。図１において、本実施形態の２次元コード付きラベルＬ１は、２次元コード１の一例としてモデル１のＱＲコード（登録商標、以下同じ。）を採用したものである。
【００１５】
図２を参照すると、２次元コード付きラベルＬ１は、ラベル１１と剥離紙１２から構成されている。
【００１６】
ラベル１１は、各種プリンタで印字可能なラベル基材１３の裏面に、粘着剤を塗布して粘着層１４を設けたものである。ラベル基材１３としては、例えば上質紙、再生紙、サーマル紙、熱転写用コート紙等の紙類や、ポリエステルフィルム、ポリプロピレンフィルム等の樹脂フィルムを用いることができる。また、粘着層１４の粘着剤としてはゴム系、アクリル系、ホットメルト系、シリコーン系等の各種粘着剤を用いることができるが、この中でも特に紙タックに使用されるアクリル系エマルジョン型粘着剤が好適である。
【００１７】
これに対し、剥離紙１２は、使用時までラベル１１の粘着面を保護するものであり、紙材１５の表面にシリコーン系剥離剤を塗布して剥離層１６を設けたものである。ラベル１１と剥離紙１２は、粘着層１４と剥離層１６との境界面を介して剥離可能に貼り合わされている。
【００１８】
ＱＲコード１は、ラベル基材１３の表面にプリンタで印字したものであり、シンボル２とその周囲のクワイエットゾーン（マージン）３とを備えて構成されている。シンボル２は、固定パターンとデータ領域からなり、固定パターンとして、３つの角に位置検出用のファインダパターン（切り出しシンボル）４が配置され、ファインダパターン４，４間に空白領域のセパレータ５を介して中心座標決定用のタイミングパターン６が配置されている。また、ファインダパターン４、セパレータ５、及びタイミングパターン６に囲まれたデータ領域内には、数字、英文字、漢字、カナ文字等からなるデータを２値化してコード変換したデータセル７が設けられている。これに対し、クワイエットゾーン３は、ＱＲコード１を読み取る際のコントラストを高めるために、シンボル２の周囲に４セル分の空白領域を設けたものである。
【００１９】
ラベル１１には、ＱＲコード１を破壊する構成として、切り取り線１７が設けられている。切り取り線１７は、あらかじめカット加工を施すことによりカッター等の刃具を用いなくてもラベル１１が切断されるようにした線のことをいう。図１では、切り取り線１７の例として、ラベル１１の対角線上に×印のミシン目が設けられている。また、このミシン目は、図２のようにラベル１１の厚さ分、すなわちラベル基材１３の表面から剥離層１６まで到達する深さのハーフカット加工を施すことにより形成されている。
【００２０】
本実施形態の２次元コード付きラベルＬ１は以上のように構成されており、使用時には剥離紙１２を剥がし、ラベル裏面の粘着層１４により被着体に貼り付けて使用する。ここで、ラベル１１に印字するＱＲコード１に各種データを記録することができるため、従来のＲＦＩＤラベルと同等の利用が可能になり、かつ、ＲＦＩＤラベルに比べてより安価な媒体を構成することができる。また、一度貼り付けたラベル１１を剥がそうとすると、切り取り線１７のミシン目が破断してＱＲコード１が破壊されるようになっている。このため、通常のＱＲコードとは異なる複製防止機能があるので、偽造によるトラブルも防ぐことができる。また、ラベル１１に剥がした痕跡が残るので、不正に開封されたことが分かり、開封検知機能を備えた封印シールとして利用することもできる。
【００２１】
本実施形態では、切り取り線１７の具体的な形態としてラベル１１の対角線上に×印のミシン目を設けたが、切り取り線１７の形態はこれに限られない。例えば図３に示すように、複数本の円弧曲線を組み合わせたミシン目１７ａ（同図（ａ）を参照。）や、１本の渦巻状のミシン目１７ｂ（同図（ｂ）を参照。）や、複数個の円形のスリット１７ｃ（同図（ｃ）を参照。）等を採用しても良い。これらの例は、ラベル１１を剥がす際に力が作用する方向に沿って切り取り線１７が設定されているため、開封時にＱＲコード１を確実に破壊することができる。
【００２２】
また、ＱＲコード１のデータセル７を読み取る際に、ファインダパターン４は必要不可欠な位置検出用の固定パターンである。このため、切り取り線１７は固定パターンとデータセル７とを分断する位置に形成されているのが好ましい。例えば図４に示す例は、３個のファインダパターン４が別々に切り離されるような十字形のミシン目とし、剥がす際にミシン目に必ず到達するように、ミシン目の端部に破断時のきっかけとなる切り込み１８を形成したものである。これらの例によると、ラベル１１を剥がした時にファインダパターン４が的確に破壊されるので、開封後のＱＲコード１を確実に読み取れなくすることができる。
【００２３】
〔第２実施形態〕
図５〜７に本発明の第２実施形態を示す。図５において、本実施形態の２次元コード付きラベルＬ２は、２次元コード１を破壊する他の構成例として、２層のラベル２１，２２を擬似接着してなる積層型ラベルを採用したものである。
【００２４】
図６を参照すると、積層型ラベルは、下層ラベル２１と上層ラベル２２からなり、下層ラベル２１に形成された２次元コード１の一部と、上層ラベル２２に形成された２次元コード１の残部とを重ね合わせることによって２次元コード１が構成されている。
【００２５】
下層ラベル２１は、光を反射する、もしくは反射しやすい紙等の光反射性材料からなるラベル基材２３の裏面に、粘着剤を塗布して粘着層２４を設けたものである。粘着層２４には剥離紙２７が貼り合わされており、使用時まで粘着面が保護されている。下層ラベル２１には、ラベル基材２３の表面に赤外吸収材で固定パターン（ファインダパターン４とタイミングパターン６）が印刷されている。ここで、赤外吸収材とは、照射された赤外光を吸収する特性を有する材料であって、コードリーダーでは認識できるが、コピー機による複写では忠実に再現しにくいものである。例えば、赤外吸収材としては、ＩＲインキ（赤外線乾燥型インキ）、炭素系の黒色顔料を含有したインキ、あるいは赤外線吸収剤を補助剤として添加したインキ等が挙げられる。
【００２６】
上層ラベル２２は、透明、もしくは光を透過しやすい光透過性材料（例えばフィルムや薄紙）からなるラベル基材２５の表面に、赤外吸収材で固定パターン以外の部分（データセル７）が印刷されている。また、ラベル基材２５の裏面には、天然ゴム系又は合成ゴム系の感圧糊等からなる擬似接着剤を塗布した擬似接着層２６が設けられている。この擬似接着層２６は、使用時まで下層ラベル２１と上層ラベル２２を剥離可能に仮接着する機能を有し、剥離した後に紙破壊等が起こらず、かつ、上層ラベル２２の裏面に粘着性が残らず再貼付できなくなる機能を有している。なお、擬似接着層２６に代えて、透明フィルム同士を熱圧着したオープンタイプフィルム（図示略）による擬似接着構造を採用しても良い。
【００２７】
本実施形態の２次元コード付きラベルＬ２は、図５のように下層ラベル２１と上層ラベル２２を擬似接着することにより、下層ラベル２１に印刷された固定パターンと上層ラベル２２に印刷されたデータセル７とが重なり合って１個の２次元コード１が構成されている。これにより、ＱＲコード１を読み取る場合、ＱＲコードリーダーから照射された赤外光は、上層ラベル２２を透過して下層ラベル２１の固定パターンに吸収され、シンボル２の正確な位置が検出される。また、上層ラベル２２のデータセル７も赤外吸収特性を有しているため、同じく赤外光を吸収して明確に認識される。したがって、ＱＲコード１のシンボル２全体を認識することができるので、データセル７に記録されたデータを正確に読み取ることができる。
【００２８】
また、この２次元コード付きラベルＬ２をコピー機で複写した場合、赤外吸収材で印刷された固定パターンとデータセル７は、トナーの濃度が薄く複写されてしまい、正確なシンボル２の形状を再現することは困難である。このため、複写後のＱＲコード１では、トナーに若干の赤外吸収特性があったとしても、シンボル２の形状が明確に認識されないので、データセル７に記録されたデータを読み取ることができない。したがって、複製されたことを容易に判別可能になるため、コピー機を利用した偽造を確実に防止することができる。
【００２９】
さらに、一度貼り付けた積層型ラベルを剥がそうとすると、上層ラベル２２が下層ラベル２１から分離して剥離される。ここで、剥離された上層ラベル２２を再貼付しようとしても、擬似接着層２６は接着力が失われているので貼り付けることができない。しかも上層ラベル２２の裏面に糊を塗って貼り合わせた場合には、下層ラベル２１のファインダパターン４と上層ラベル２２のデータセル７との位置ずれが起こるため、ＱＲコード１の読み取りができなくなり、不正に開封されたことを検知することができる。
【００３０】
このように、本実施形態では下層ラベル２１と上層ラベル２２を擬似接着してなる積層型ラベルを採用したが、これに加えて、図７に示す構造を採用しても良い。例えば、図７（ａ）に示すものは、上層ラベル２２の表面に、赤外吸収特性のない赤外非吸収インキでＱＲコード１を被覆印刷した隠蔽層３１が設けられている。また、図７（ｂ）に示すものは、この隠蔽層３１を上層ラベル２２ではなく、下層ラベル２１に設けたものである。このように、上層ラベル２２と下層ラベル２１の少なくともいずれか一方に隠蔽層３１を設けることにより、外部から目視で見た時にＱＲコード１を印刷してあることが気付かれない。しかもこの積層型ラベルをコピー機で複写すると、隠蔽層３１の部分がすべて黒く複写されるので、複写によるＱＲコード１の複製を未然に防ぐことができる。
【００３１】
さらに、図７（ｃ）に示すように、隠蔽層３１を上層ラベル２２と下層ラベル２１の双方に設けると良い。この場合、上記と同様に複写によるＱＲコード１の複製を防止できるだけでなく、開封後の再貼付による偽造を防ぐことができる。その理由は、上層ラベル２２を剥がした後に元通りに貼り直そうとしても、ＱＲコード１が完全に隠れているため、位置決めする際の目印となるものがなく、ファインダパターン４とデータセル７を正確に重ね合わせることができないからである。
【００３２】
なお、本実施形態では、下層ラベル２１にファインダパターン４を印刷し、上層ラベル２２にデータセル７を印刷したが、これとは逆に、下層ラベル２１にデータセル７を印刷し、上層ラベル２２にファインダパターン４を印刷しても良い。ただし、ファインダパターン４は全コードに共通であり、データセル７はコード毎に異なるものであるため、擬似接着後の上層ラベル２２に可変データを印刷する観点からすると、上層ラベル２２にデータセル７を印刷する形態の方が好ましい。
【００３３】
〔第３実施形態〕
図８と９に本発明の第３実施形態を示す。図８において、本実施形態の２次元コード付きラベルＬ３は、２層の積層型ラベルを採用した点では第２実施形態と共通するが、下層ラベル２１に形成されるＱＲコード１の一部と上層ラベル２２に形成されるＱＲコード１の残部との組み合わせが異なるものである。
【００３４】
図８に示すように、下層ラベル２１には、ＱＲコード１の一部として、クワイエットゾーン３の周囲を囲む外周枠３２が赤外吸収材で印刷されている。これに対し、上層ラベル２２には、ファインダパターン４、タイミングパターン６、及びデータセル７からなるシンボル２の全体が赤外吸収材で印刷されている。また、図９に示すように、下層ラベル２１と上層ラベル２２の双方に、赤外非吸収インキで隠蔽層３１が設けられている。なお、隠蔽層３１は、少なくとも下層ラベル２１と上層ラベル２２のいずれか一方に設けられていれば良い。
【００３５】
本実施形態の２次元コード付きラベルＬ３によれば、第２実施形態のものと同様の理由により、複写によるＱＲコード１の複製を未然に防止することができる。また、上層ラベル２２を剥がした後に元通りに貼り直そうとしても、上層ラベル２２に印刷されたシンボル２が少しでもずれた場合、シンボル２の周囲に必要なクワイエットゾーン３の領域内に、赤外吸収材で印刷した外周枠３２が侵入することになる。このため、ＱＲコードリーダーで読み取る際にシンボル２と背景とのコントラストが低くなり、ＱＲコード１の読み取りに支障を来たす。したがって、再貼付による偽造を防ぎ、不正に開封されたことを検知することができる。
【００３６】
本実施形態では、下層ラベル２１にクワイエットゾーン３の外周枠３２を印刷し、上層ラベル２２にシンボル２を印刷したが、これとは逆に、下層ラベル２１にシンボル２を印刷し、上層ラベル２２にクワイエットゾーン３の外周枠３２を印刷しても良い。ただし、擬似接着後の上層ラベル２２に可変データを印刷する観点からすると、上層ラベル２２にシンボル２を印刷する形態の方が好ましい。なお、第２、第３実施形態では、下層ラベル２１のラベル基材２３を光反射性材料で構成したが、貼付対象の被着体が光を吸収しにくく反射しやすいものであれば、下層ラベル２１のラベル基材２３は透明、もしくは光を透過しやすい光透過性材料（例えばフィルムや薄紙）で構成しても良い。
【００３７】
以上のとおり実施形態を挙げて説明したが、本発明は上述の実施形態に限定されるものではなく、本発明の技術的思想の範囲内において、当業者の通常の創作能力によって多くの変形が可能である。
【符号の説明】
【００３８】
Ｌ１、Ｌ２、Ｌ３…２次元コード付きラベル
１…２次元コード（ＱＲコード）
２…シンボル
３…クワイエットゾーン
４…ファインダパターン
５…セパレータ
６…タイミングパターン
７…データセル
１１…ラベル
１２…剥離紙
１３…ラベル基材
１４…粘着層
１５…紙材
１６…剥離層
１７…切り取り線
１８…切り込み
２１…下層ラベル
２２…上層ラベル
２３…ラベル基材
２４…粘着層
２５…ラベル基材
２６…擬似接着層
２７…剥離紙
２８…紙材
２９…剥離層
３１…隠蔽層
３２…外周枠
【図１】
2013003535.tif 000003
【図２】
2013003535.tif 000004
【図３】
2013003535.tif 000005
【図４】
2013003535.tif 000006
【図５】
2013003535.tif 000007
【図６】
2013003535.tif 000008
【図７】
2013003535.tif 000009
【図８】
2013003535.tif 000010
【図９】
2013003535.tif 000011